(57)【要約】【課題】水槽内での圧力上昇の影響を受けにくい排水トラップを有する洗濯乾燥機を提供する。【解決手段】洗濯乾燥機は、外箱（１００）の内部に配設される水槽（４）と、外箱（１００）の底部に位置する底台（１０６）と、底台（１０６）の内側において、下方に張り出すように配設されて、水槽（４）からの排水が流れる第一排水ホース（７１）と、底台（１０６）の外側に配設されるとともに、第一排水ホース（７１）に接続される第二排水ホース（７２）とを備え、第一排水ホース（７１）が、上流端部（７１ｄ）と下流端部（７１ｃ）とを有し、下流端部（７１ｃ）が外箱（１００）の側壁部（１１０ａ，１１０ｂ）に設けられた取出口（１２１，１２３）に配設され、下流端部（７１ｃ）が、上流端部（７１ｄ）に対して同等以上の高さに位置する。【選択図】図８
2019042115.tif 000002
【特許請求の範囲】
【請求項１】
外箱の内部に配設される水槽と、
前記外箱の底部に位置する底台と、
前記底台の内側において、下方に張り出すように配設されて、前記水槽からの排水が流れる第一排水ホースと、
前記底台の外側に配設されるとともに、前記第一排水ホースに接続される第二排水ホースとを備え、
前記第一排水ホースが、上流端部と下流端部とを有し、前記下流端部が前記外箱の側壁部に設けられた取出口に配設され、
前記下流端部が、前記上流端部に対して同等以上の高さに位置することを特徴とする洗濯乾燥機。
【請求項２】
請求項１に記載の洗濯乾燥機において、
前記底台の底部には、前記第一排水ホースを支持しながら案内する案内部が形成されていることを特徴とする洗濯乾燥機。
【請求項３】
請求項２に記載の洗濯乾燥機において、
前記案内部の底面側には、前記第一排水ホースを着脱自在に係止する係止ツメが設けられていることを特徴とする洗濯乾燥機。
【請求項４】
請求項１から請求項３までのいずれか１つに記載の洗濯乾燥機において、
前記第一排水ホースには、下方に延びる第一部分と、幅方向に延びる第二部分と、上方に延びる第三部分とが形成されていることを特徴とする洗濯乾燥機。
【請求項５】
請求項１から請求項４までのいずれか１つに記載の洗濯乾燥機において、
前記取出口の周辺であって前記外箱の内側部分は、上面側および側面側が仕切り部で仕切られているとともに底面側が開放されていることを特徴とする洗濯乾燥機。
【発明の詳細な説明】
【技術分野】
【０００１】
この発明は、洗濯乾燥機に関する。
【背景技術】
【０００２】
従来、水槽の下流側に位置する排水ホースにおいて、下水からの臭気を防止する排水トラップ構造を備える洗濯乾燥機がある(例えば、特許文献１を参照)。
【先行技術文献】
【特許文献】
【０００３】
【特許文献１】特開２００８−１１００８８号公報
【発明の概要】
【発明が解決しようとする課題】
【０００４】
上記従来の排水トラップ構造では、排水ホースが、水槽の下流側に位置する上流端部を始端にして横方向に延び、下に向けて湾曲することによってＵ字状部を形成したあと、逆Ｕ字状部を形成する下流端部で終端している。すなわち、上記従来の排水トラップ構造では、下流端部が、上流端部よりも高さ方向で下方に位置している。当該構造では、排水トラップ構造で貯留されるトラップ水の水面が、逆Ｕ字状部での湾曲壁下部によって規定されるので、逆Ｕ字状部での湾曲壁下部よりも上では、トラップ水が貯留されない。このように、従来の排水トラップ構造では、排水ホースの一部分が、排水トラップとして利用されているだけである。
【０００５】
ところで、洗濯乾燥機では、気流フィルタ装置に目詰まりが発生すると、乾燥運転時において、水槽内の圧力が上昇することがある。水槽内での圧力上昇によって、排水トラップ構造に貯留されたトラップ水が、排水トラップ構造の下流側に押し出されてしまう。したがって、上記従来の排水トラップ構造では、排水ホースの一部分しか排水トラップとして利用されないため、圧力上昇の影響を受けやすく、水槽内の圧力が少し上昇するだけで、排水トラップとして機能しなくなるという問題がある。
【０００６】
そこで、この発明の課題は、水槽内での圧力上昇の影響を受けにくい排水トラップを有する洗濯乾燥機を提供することにある。
【課題を解決するための手段】
【０００７】
上記課題を解決するため、この発明の一態様に係る洗濯乾燥機は、
外箱の内部に配設される水槽と、
前記外箱の底部に位置する底台と、
前記底台の内側において、下方に張り出すように配設されて、前記水槽からの排水が流れる第一排水ホースと、
前記底台の外側に配設されるとともに、前記第一排水ホースに接続される第二排水ホースとを備え、
前記第一排水ホースが、上流端部と下流端部とを有し、前記下流端部が前記外箱の側壁部に設けられた取出口に配設され、
前記下流端部が、前記上流端部に対して同等以上の高さに位置することを特徴とする。
【発明の効果】
【０００８】
この発明によれば、第一排水ホースが下方に張り出すとともに、第一排水ホースの下流端部が、上流端部に対して同等以上の高さに位置するように配置することによって、第一排水ホースの大部分が排水トラップとして利用されるので、水槽内での圧力上昇の影響を受けにくく、排水トラップとして機能することができる。
【図面の簡単な説明】
【０００９】
【図１】第１実施形態に係る洗濯乾燥機の一例としてのドラム式洗濯乾燥機の斜視図である。
【図２】図１に示したドラム式洗濯乾燥機のドアを開けた状態の斜視図である。
【図３】図１に示したドラム式洗濯乾燥機の底台の上面図である。
【図４】図１に示したドラム式洗濯乾燥機の底台の下面図である。
【図５】図１に示したドラム式洗濯乾燥機の底台の右側面図である。
【図６】図１に示したドラム式洗濯乾燥機の底台の左側面図である。
【図７】図１に示したドラム式洗濯乾燥機の底台の下面の拡大図である。
【図８】前面側から見た、底台における第一排水ホースの配置を説明する図である。
【図９】右側面側から見た、底台における第一排水ホースの配置を説明する図である。
【図１０】第一排水ホースが取り付けられた取出口周辺の拡大斜視図である。
【図１１】下面側から見た、底台における第一排水ホースの配置を説明する図である。
【図１２】下面側から見た、底台における第一排水ホースの別の配置を説明する図である。
【発明を実施するための形態】
【００１０】
以下、この発明に係る洗濯乾燥機を図示の実施の形態により詳細に説明する。
【００１１】
〔第１実施形態〕
図１は、第１実施形態の洗濯乾燥機の一例としてのドラム式洗濯乾燥機１の斜視図を示している。図１において、１０１は上面部、１０２は排水フィルタ用ドア、１０３は前面部、１０４は後面部、１０５は側板部、１０６は底台である。
【００１２】
このドラム式洗濯乾燥機１は、図１に示すように、外箱１００と、外箱１００の開口部１００ａ(図２に示す)を開閉するドア５０と、外箱１００の内部に配設された水槽４(図２に示す)と、その水槽４内に回転可能に配置された回転ドラム３(図２に示す)を備える。
【００１３】
また、外箱１００の上面部１０１の左後面側には、給水口１０が設けられている。また、外箱１００の上面部１０１の右後面側には、気流フィルタ装置３０が装着されている。気流フィルタ装置３０には、循環経路を循環する気流に含まれる糸屑を取り除く糸屑フィルタが装着されている。また、外箱１００の上面部１０１の右前面側には、電源ボタン３１が設けられている。さらに、外箱１００の上面部１０１の左上側には、洗剤ケース１１が装着されている。
【００１４】
ドア５０は、正面視で略四角形状のドア本体部５１と、ドア本体部５１の上部から後方に傾斜するように設けられたドア傾斜部５２とを備える。このドア５０のドア傾斜部５２には、運転動作を選択して指示入力すると共に運転状態を表示する表示操作部５４が設けられている。
【００１５】
図２は、ドラム式洗濯乾燥機１のドア５０を開けた状態の斜視図を示している。図２において、図１に示すドラム式洗濯乾燥機１と同一の構成部には同一参照番号を付している。
【００１６】
ドラム式洗濯乾燥機１の外箱１００は、図２に示すように、上面部１０１と、前面部１０３と、後面部１０４と、一対の側板部１０５(図２では一方を示す)と、底台１０６とによって構成されている。
【００１７】
外箱１００の前面部１０３は、第１平面部１０３ａと、第１平面部１０３ａの上側に延在する上傾斜部１０３ｂと、第１平面部１０３ａの下側に延在する第２平面部１０３ｃとを有する。
【００１８】
上記前面部１０３には、洗濯物の出し入れに使用される開口部１００ａが設けられている。上記前面部１０３の開口部１００ａの周縁には、環状部材１７が設けられている。
【００１９】
また、前面部１０３の前面側には、開口部１００ａを開閉するためのドア５０が、上下方向に離間した２つのヒンジ部４０で回動可能に取り付けられている。
【００２０】
また、ドア５０の後面側には、ユーザーによって操作されるロック解除部５３が設けられている。ロック解除部５３は、ドア５０の厚み方向の前側にスライド移動することにより、ドア５０のロック解除を行う機能を有する。係合爪５７は、ロック解除部５３の動きに連動するように構成されている。
【００２１】
ドア５０が閉められた状態で、ユーザーの操作によりロック解除部５３がドア５０の厚み方向の前側にスライド移動すると、係合爪５７が非係合側に移動することにより被係合部２０に対する係合爪５７の係合が解除されて、ドア５０が開放される。また、ドア５０を開いた状態から閉じた状態にすると、ドア５０の係合爪５７が外箱１００の被係合部２０に係合する。
【００２２】
上記環状部材１７と外箱１００の開口部１００ａの周縁部分とで、ゴムや軟質樹脂等の弾性体から成るパッキン１８を挟んで保持している。これにより、ドア５０を閉じると、ドア５０に取り付けられた円錐台形状のガラス製の窓部材５６がパッキン１８に密着して、回転ドラム３を収容する水槽４において、水密かつ気密が保たれ、水槽４内の液体が水槽４の外へ漏れ出ることを防止できる。
【００２３】
また、外箱１００内に配置された水槽４および回転ドラム３は、ドア５０側に開口しており、ドア５０を開くことにより外箱１００の開口部１００ａを介して回転ドラム３内に洗濯物(図示せず)を出し入れできる。
【００２４】
また、上記ドラム式洗濯乾燥機１は、外箱１００内の後面側かつ下部に配置された乾燥用のヒートポンプユニット(図示せず)と、該ヒートポンプユニットによって水槽４内の空気を加熱して加熱された空気を循環させるための循環経路(図示せず)とを備えている。
【００２５】
また、外箱１００の第２平面部１０３ｃの左下側には、排水フィルタ用ドア１０２が開閉可能に取り付けられている。この排水フィルタ用ドア１０２を開いて、外箱１００内の下側に装着された糸屑フィルタ(図示せず)を交換する。
【００２６】
上記構成のドラム式洗濯乾燥機１では、表示操作部５４(図１に示す)から運転コースの選択や各工程の時間設定などが入力されると、その選択情報や設定情報が入力された制御装置(図示せず)によって、例えば洗濯から乾燥までの一連の動作を実行する。
【００２７】
図３から図１０は、図１に示したドラム式洗濯乾燥機１における底台１０６を示している。底台１０６は、外箱１００の底部に位置しており、例えば、樹脂材料の成形によって作られている。
【００２８】
図３および図４に示すように、ドラム式洗濯乾燥機１の底台１０６は、ベース部１１０と、右の側壁部１１０ａと、左の側壁部１１０ｂとを有する。図５に示すように、右の側壁部１１０ａには、右の取付部１１４が設けられている。図６に示すように、左の側壁部１１０ｂには、左の取付部１１６が設けられている。ベース部１１０の幅方向（左右方向）中央よりもやや左側に片寄ったところに、排水弁取付部１１２が形成されている。
【００２９】
図４に示すように、排水弁取付部１１２から右の取付部１１４に至る経路には、右の案内部１１３が形成されている。右の案内部１１３は、右側に設置される第一排水ホース７１を支持しながら右の取付部１１４に案内するためのものである。右の案内部１１３は、幅方向（左右方向）に延びている。右の案内部１１３の底面側には、右の係止ツメ１１７が設けられている。右の係止ツメ１１７は、右側に設置される第一排水ホース７１を着脱自在に係止するためのものである。
【００３０】
図５に示すように、右の取付部１１４は、大略丸穴形状をした右の取付口１２１と、右の取付口１２１の径方向外側に形成された右の取付穴１２２とを有する。図７に示すように、右の取付口１２１は、後述する排水ホース７０が右側に設置されるとき、排水ホース７０の接続アダプタ７３を受け入れるように構成されている。右の取付穴１２２は、接続アダプタ７３を右の取付部１１４にねじ止めするためのねじを挿通する貫通穴である。
【００３１】
図４に示すように、排水弁取付部１１２から左の取付部１１６に至る経路には、左の案内部１１５が形成されている。左の案内部１１５は、左側に設置される第一排水ホース７１を支持しながら左の取付部１１６に案内するためのものである。左の案内部１１５は、左右方向に延びたあと上下方向に延び、さらに左右方向に延びている。左の案内部１１５の底面側には、左の係止ツメ１１８が設けられている。左の係止ツメ１１８は、左側に設置される第一排水ホース７１を着脱可能に係止するためのものである。
【００３２】
図６に示すように、左の取付部１１６は、大略丸穴形状をした左の取付口１２３と、左の取付口１２３の径方向外側に形成された左の取付穴１２４とを有する。左の取付口１２３は、排水ホース７０が左側に設置されるとき、排水ホース７０の接続アダプタ７３を受け入れるように構成されている。左の取付穴１２４は、接続アダプタ７３を左の取付部１１６にねじ止めするためのねじを挿通する貫通穴である。
【００３３】
なお、外箱１００の外に設けられる排水口（図示しない）の位置に応じて、１つの第一排水ホース７１が右側または左側に設置されるため、右の案内部１１３の延在長さと左の案内部１１５の延在長さは、ほぼ同じになるように構成されている。
【００３４】
図４に示すように、右の取付部１１４よりも内側部分（すなわち、排水弁取付部１１２の側の部分）は、１つの上面側の仕切り部１２５と、３つの側面側の仕切り部１２６とを有する右の仕切り部屋が形成されている。右の仕切り部屋は、右側での第一排水ホース７１の着脱を可能にするため、下面側だけが仕切り部を有することなく開放された形態になっている。当該形態によれば、右の取出口１２１を通じて指などが不用意に差し入れられたとしても、指などが底台１０６よりも上方の外箱１００の内部に達することを防止できる。
【００３５】
同様に、左の取付部１１６よりも内側部分（すなわち、排水弁取付部１１２の側の部分）は、１つの上面側の仕切り部１２７と、３つの側面側の仕切り部１２８とを有する左の仕切り部屋が形成されている。左の仕切り部屋は、左側での第一排水ホース７１の着脱を可能にするため、下面側だけが仕切り部を有することなく開放された形態になっている。当該形態によれば、左の取出口１２３を通じて指などが差し入れられたとしても、指などが底台１０６よりも上方の外箱１００の内部に達することを防止できる。
【００３６】
図７に示すように、排水弁取付部１１２には、排水弁８０が取り付けられている。排水弁８０は、水槽４における排水および貯水を切り替える弁である。
【００３７】
排水ホース７０は、図８および図１０から図１２に図示する第一排水ホース７１と、図１に図示する第二排水ホース７２と、図７および図９から図１２に図示する接続アダプタ７３とを有する。第一排水ホース７１は、底台１０６の内側において、下方に張り出すように配設されて、水槽４からの排水が流れるように構成されている。第二排水ホース７２は、底台１０６の外側に配設されるとともに、接続アダプタ７３を介して第一排水ホース７１に接続される
【００３８】
第一排水ホース７１は、上流側および下流側の蛇腹部７１ａと、上流側および下流側の蛇腹部７１ａの間に位置する筒状部７１ｂと、筒状の下流端部７１ｃ（図１０に図示）と、図示しない筒状の上流端部７１ｄとを有する。第一排水ホース７１の上流端部７１ｄが排水弁８０に接続されて、第一排水ホース７１の下流端部７１ｃが右の取出口１２１または左の取出口１２３に配設される。これによって、第一排水ホース７１は、排水弁８０と、右の取出口１２１または左の取出口１２３との間を接続する。筒状部７１ｂが、右の係止ツメ１１７または左の係止ツメ１１８によって係止される。
【００３９】
底台１０６において、右の取出口１２１および左の取出口１２３での下端部の高さが、それぞれ、排水弁８０の高さに対して同等以上の高さに位置するように構成されている。したがって、右の取出口１２１または左の取出口１２３に配設される第一排水ホース７１の下流端部７１ｃが、排水弁８０に接続される第一排水ホースの上流端部７１ｄに対して同等以上の高さに位置する。すなわち、下流端部７１ｃの下端部が、上流端部７１ｄに対して同じ高さであるかそれ以上の高さに位置する。右の取出口１２１または左の取出口１２３を高い位置に設けるほど、排水トラップ性が向上するが、水槽４からの排水を排出しにくくなるので、右の取出口１２１または左の取出口１２３をあまり高い位置に設けることができない。したがって、右の取出口１２１または左の取出口１２３は、その上部は、例えば、設置面から約１０ｃｍの高さになるように配設される。
【００４０】
第二排水ホース７２は、図１に図示するように、上流側および下流側の蛇腹部７２ａと、上流側および下流側の蛇腹部７２ａの間に位置する筒状部７２ｂと、筒状の下流端部７２ｃと、筒状の上流端部７２ｄとを有する。第二排水ホース７２の上流端部７２ｄが、右の取出口１２１または左の取出口１２３に配設された第一排水ホース７１の下流端部７１ｃに接続される。そして、第二排水ホース７２の下流端部７２ｃが、外箱１００の外に設けられる排水口に配設される。これによって、第二排水ホース７２は、右の取出口１２１または左の取出口１２３に配設された第一排水ホース７１と、排水口との間を接続する。第二排水ホース７２の上流端部７２ｄが、ホースバンドによって第一排水ホース７１の下流端部７１ｃに対して着脱可能に固定される。下流端部７２ｃは、例えば防水パンの排水口に接続される。
【００４１】
接続アダプタ７３は、鍔部と、支持部と、複数のねじ穴とを有する。鍔部は、右の取付部１１４または左の取付部１１６への取付時に、右の取付部１１４または左の取付部１１６の内側に位置する。支持部は、右の取付部１１４または左の取付部１１６への取付時に、右の取付部１１４または左の取付部１１６の外側に位置する。複数のねじ穴は、取付穴１２２，１２４のそれぞれに対応して、ねじで固定するときに使用される。接続アダプタ７３は、右の取出口１２１または左の取出口１２３に装着されて、右の取付部１１４または左の取付部１１６に対してねじで固定される。接続アダプタ７３は、第一排水ホース７１と第二排水ホース７２との間に介在して、第一排水ホース７１および第二排水ホース７２を着脱可能に連結する。
【００４２】
排水ホース７０が第一排水ホース７１および第二排水ホース７２に分割されている。これによって、排水口がドラム式洗濯乾燥機１の設置場所の真下に位置する場合、先に第二排水ホース７２の下流端部７２ｃを排水口に接続してから、ドラム式洗濯乾燥機１を所定の場所に設置したあと、第二排水ホース７２を第一排水ホース７１に接続することができる。したがって、ドラム式洗濯乾燥機１の設置時において、排水ホース７０の取り回しが容易になり、良好な設置作業性を提供できる。
【００４３】
図１１に示すように、底台１０６の右側に設置された第一排水ホース７１は、右の案内部１１３で案内されながら、その底面側に設けられた右の係止ツメ１１７によって支持されている。図１１に示す設置形態では、第一排水ホース７１が、幅方向（左右方向）に略直線状に延びている。図８および図９に示すように、底台１０６に設置された第一排水ホース７１は、下方に張り出すように、すなわち筒状部７１ｂが最も下方であって設置面の最も近傍に位置するように構成されている。
【００４４】
底台１０６において右側に設置された第一排水ホース７１には、第一部分７５ａと、第二部分７５ｂと、第三部分７５ｃとが形成されている。第一部分７５ａは、上流端部７１ｄから湾曲しながら斜め下方に延びており、上流側の蛇腹部７１ａの大部分を含む。第二部分７５ｂは、幅方向（左右方向）且つ水平方向に延びる直線状底部を形成しており、上流側の蛇腹部７１ａの一部分と筒状部７１ｂと下流側の蛇腹部７１ａの一部分とを含む。第三部分７５ｃは、湾曲しながら斜め上方に下流端部７１ｃまで延びており、下流側の蛇腹部７１ａの大部分を含む。したがって、底台１０６に設置されて下方に張り出す第一排水ホース７１は、直線状底部を形成する第二部分７５ｂを有する形状をしている。
【００４５】
図１２に示すように、第一排水ホース７１は、底台１０６の左側にも設置可能である。第一排水ホース７１は、左の案内部１１５で案内されながら、その底面側に設けられた左の係止ツメ１１８によって支持されている。図１２に示す設置形態では、第一排水ホース７１が、幅方向（左右方向）に延び、奥行き方向（前後方向）且つ高さ方向（上下方向）に延びたあと、幅方向（左右方向）に延びている。図８および図９と同様に、底台１０６に設置された第一排水ホース７１は、下方に張り出すように、すなわち筒状部７１ｂが最も下方であって設置面の最も近傍に位置するように構成されている。
【００４６】
底台１０６の左側に設置された第一排水ホース７１においても、第一部分７５ａと、第二部分７５ｂと、第三部分７５ｃとが形成されている。第一部分７５ａは、上流端部７１ｄから湾曲しながら斜め下方に延びており、上流側の蛇腹部７１ａの大部分を含む。第二部分７５ｂは、幅方向（左右方向）且つ水平方向に延びる直線状底部を形成しており、上流側の蛇腹部７１ａの一部分と筒状部７１ｂと下流側の蛇腹部７１ａの一部分とを含む。第三部分７５ｃは、湾曲しながら斜め上方に延びたあと、幅方向（左右方向）に延びながら下流端部７１ｃまで延びており、下流側の蛇腹部７１ａの大部分を含む。したがって、底台１０６に設置されて下方に張り出す第一排水ホース７１は、直線状底部を形成する第二部分７５ｂを有する形状をしている。
【００４７】
なお、底台１０６に設置されて下方に張り出す第一排水ホース７１は、以下のような様々な態様を取ることができる。例えば、第二部分７５ｂが直線状底部を形成するとともに、第一部分７５ａおよび第三部分７５ｃが、それぞれ、真下または真上に延びることによって、第一排水ホース７１は、全体として下方に張り出す矩形形状にすることができる。また、第二部分７５ｂが直線状底部を形成するとともに、第一部分７５ａおよび第三部分７５ｃが、それぞれ、直線状に斜め下方または斜め上方に延びることによって、第一排水ホース７１は、全体として下方に張り出す台形形状にすることもできる。
【００４８】
第一排水ホース７１が底台１０６の右側または左側に設置されるいずれの場合においても、排水弁８０を開いて、水槽４に貯留された水を排出すると、第一排水ホース７１および第二排水ホース７２を通じて排水口に排水される過程で、下方に張り出す第一排水ホース７１において水が溜まる。第一排水ホース７１の下流端部７１ｃが、第一排水ホースの上流端部７１ｄに対して同等以上の高さに位置するので、第一排水ホース７１の大部分において水が溜まる。水の溜まった第一排水ホース７１は、排水トラップを構成する。当該第一排水ホース７１は、直線状底部を形成する第二部分７５ｂを備えることによってより長いトラップ長さを提供するとともに、下流端部７１ｃが上流端部７１ｄに対して同等以上の高さに位置することによってより高いトラップ高さを提供することができる。
【００４９】
上記構成の洗濯乾燥機によれば、第一排水ホース７１が下方に張り出すとともに、第一排水ホース７１の下流端部７１ｃが、上流端部７１ｄに対して同等以上の高さに位置するように配置することによって、第一排水ホース７１の大部分が排水トラップとして利用されるので、水槽４内での圧力上昇の影響を受けにくく、排水トラップとして機能することができる。
【００５０】
また、外箱１００は、底台１０６を有し、底台１０６の底部には、第一排水ホース７１を支持しながら案内する案内部１１３，１１５が形成されている。これによって、第一排水ホース７１を案内部１１３，１１５に沿って配置することで第一排水ホース７１が所定形状を保つことができ、第一排水ホース７１の配設が容易である。
【００５１】
また、案内部１１３，１１５の底面側には、第一排水ホース７１を着脱可能に係止する係止ツメ１１７，１１８が設けられている。これによって、第一排水ホース７１を必要に応じて着脱することができる。それとともに、下方に張り出した第一排水ホース７１のうちの底部が案内部１１３，１１５の底面側に係止されて、より高いトラップ高さを提供でき、圧力上昇の影響を受けにくくなる。
【００５２】
また、下方に張り出すように配置された第一排水ホース７１には、下方に延びる第一部分７５ａと、幅方向に延びる第二部分７５ｂと、上方に延びる第三部分７５ｃとが形成されている。これによって、幅方向に延びる第二部分７５ｂがより長いトラップ長さを提供でき、圧力上昇の影響を受けにくくなる。
【００５３】
また、取出口１２１，１２３の周辺であって外箱１００の内側部分は、上面側および側面側が仕切り部１２５，１２６，１２７，１２８で仕切られているとともに底面側が開放されている。これによって、第一排水ホース７１の着脱を可能にすることに加えて、取出口１２１，１２３を通じて指などが不用意に差し入れられたとしても、指などが底台１０６よりも上方の外箱１００の内部に達することを防止でき、安全性を確保できる。
【００５４】
〔第２実施形態〕
第２実施形態に係る洗濯乾燥機の一例としてのドラム式洗濯乾燥機は、底台１０６での排水弁取付部１１２、右の案内部１１３および左の案内部１１５を除いて、第１実施形態のドラム式洗濯乾燥機１と同一の構成をしている。
【００５５】
第１実施形態のドラム式洗濯乾燥機１では、排水弁取付部１１２が、底台１０６において幅方向中央よりもやや左側に片寄って配置されているため、右の案内部１１３および左の案内部１１５が左右非対称に構成されていた。これに対して、この第２実施形態のドラム式洗濯乾燥機では、排水弁取付部１１２が、底台１０６において幅方向中央に配置されるとともに、右の案内部１１３および左の案内部１１５が左右対称に構成されている。排水弁取付部１１２を幅方向中央に配置するとともに、右の案内部１１３および左の案内部１１５を左右対称にすることによって、底台１０６を成形するときの金型構成がシンプルになり、低コスト化を図ることができる。
【００５６】
したがって、上記第２実施形態のドラム式洗濯乾燥機は、第１実施形態のドラム式洗濯乾燥機１と同様の効果を有することに加えて、低コスト化を図ることができる。
【００５７】
〔第３実施形態〕
第１実施形態のドラム式洗濯乾燥機１では、洗濯物を乾燥させるための加熱された空気は、ヒートポンプユニットによって供給されていたが、この第３実施形態のドラム式洗濯乾燥機では、ヒータによって加熱された空気を供給するように構成されている。
【００５８】
したがって、上記第３実施形態のドラム式洗濯乾燥機は、第１実施形態のドラム式洗濯乾燥機１と同様の効果を有する。
【００５９】
また、上記第１実施形態から第３実施形態では、洗濯乾燥機としてドラム式洗濯乾燥機について説明したが、乾燥機能を有する縦型洗濯乾燥機にこの発明を適用してもよい。
【００６０】
この発明の具体的な実施の形態について説明したが、この発明は上記第１実施形態から第３実施形態に限定されるものではなく、この発明の範囲内で種々変更して実施することができる。例えば、上記第１実施形態から第３実施形態で記載した内容を適宜に組み合わせたものを、この発明の一実施形態としてもよい。
【００６１】
この発明および実施形態をまとめると、次のようになる。
【００６２】
この発明の一態様に係る洗濯乾燥機は、
外箱１００の内部に配設される水槽４と、
外箱１００の底部に位置する底台１０６と、
前記底台１０６の内側において、下方に張り出すように配設されて、前記水槽４からの排水が流れる第一排水ホース７１と、
前記底台１０６の外側に配設されるとともに、前記第一排水ホース７１に接続される第二排水ホース７２とを備え、
前記第一排水ホース７１が、上流端部７１ｄと下流端部７１ｃとを有し、前記下流端部７１ｃが前記外箱１００の側壁部１１０ａ，１１０ｂに設けられた取出口１２１，１２３に配設され、
前記下流端部７１ｃが、前記上流端部７１ｄに対して同等以上の高さに位置することを特徴とする。
【００６３】
上記構成によれば、第一排水ホース７１が下方に張り出すとともに、第一排水ホース７１の下流端部７１ｃが、上流端部７１ｄに対して同等以上の高さに位置するように配置することによって、第一排水ホース７１の大部分が排水トラップとして利用されるので、水槽４内での圧力上昇の影響を受けにくく、排水トラップとして機能することができる。
【００６４】
また、一実施形態の洗濯乾燥機では、
底台１０６の底部には、第一排水ホース７１を支持しながら案内する案内部１１３，１１５が形成されている。
【００６５】
上記実施形態によれば、第一排水ホース７１を案内部１１３，１１５に沿って配置することで第一排水ホース７１が所定形状を保つことができ、第一排水ホース７１の配設が容易である。
【００６６】
また、一実施形態の洗濯乾燥機では、
案内部１１３，１１５の底面側には、第一排水ホース７１を着脱自在に係止する係止ツメ１１７，１１８が設けられている。
【００６７】
上記実施形態によれば、第一排水ホース７１を必要に応じて着脱することができる。それとともに、下方に張り出した第一排水ホース７１のうちの底部が案内部１１３，１１５の底面側に係止されて、より高いトラップ高さを提供でき、圧力上昇の影響を受けにくくなる。
【００６８】
また、一実施形態の洗濯乾燥機では、
下方に張り出すように配置された第一排水ホース７１には、下方に延びる第一部分７５ａと、幅方向に延びる第二部分７５ｂと、上方に延びる第三部分７５ｃとが形成されている。
【００６９】
上記実施形態によれば、幅方向に延びる第二部分７５ｂがより長いトラップ長さを提供でき、圧力上昇の影響を受けにくくなる。
【００７０】
また、一実施形態の洗濯乾燥機では、
取出口１２１，１２３の周辺であって外箱１００の内側部分は、上面側および側面側が仕切り部１２５，１２６，１２７，１２８で仕切られているとともに底面側が開放されている。
【００７１】
上記実施形態によれば、第一排水ホース７１の着脱を可能にすることに加えて、取出口１２１，１２３を通じて指などが不用意に差し入れられたとしても、指などが底台１０６よりも上方の外箱１００の内部に達することを防止でき、安全性を確保できる。
【符号の説明】
【００７２】
１…ドラム式洗濯乾燥機（洗濯乾燥機）
３…回転ドラム
３ａ…回転ドラム開口部
４…水槽
１０…給水口
１１…洗剤ケース
１７…環状部材
１８…パッキン
２０…被係合部
３０…気流フィルタ装置
３１…電源ボタン
４０…ヒンジ部
５０…ドア
５１…ドア本体部
５２…ドア傾斜部
５３…ロック解除部
５４…表示操作部
５６…窓部材
５７…係合爪
７０…排水ホース
７１…第一排水ホース（排水トラップ）
７１ａ…蛇腹部
７１ｂ…筒状部
７１ｃ…下流端部
７１ｄ…上流端部
７２…第二排水ホース
７２ａ…蛇腹部
７２ｂ…筒状部
７２ｃ…下流端部
７２ｄ…上流端部
７３…接続アダプタ
７５ａ…第一部分
７５ｂ…第二部分
７５ｃ…第三部分
８０…排水弁
１００…外箱
１００ａ…開口部
１０１…上面部
１０２…排水フィルタ用ドア
１０３…前面部
１０３ａ…第１平面部
１０３ｂ…上傾斜部
１０３ｃ…第２平面部
１０４…後面部
１０５…側板部
１０６…底台
１１０…ベース部
１１０ａ…右の側壁部
１１０ｂ…左の側壁部
１１２…排水弁取付部
１１３…右の案内部
１１４…右の取付部
１１５…左の案内部
１１６…左の取付部
１１７…右の係止ツメ
１１８…左の係止ツメ
１２１…右の取出口
１２２…取付穴
１２３…左の取出口
１２４…取付穴
１２５…上面側の仕切り部
１２６…側面側の仕切り部
１２７…上面側の仕切り部
１２８…側面側の仕切り部
【図１】
2019042115.tif 000003
【図２】
2019042115.tif 000004
【図３】
2019042115.tif 000005
【図４】
2019042115.tif 000006
【図５】
2019042115.tif 000007
【図６】
2019042115.tif 000008
【図７】
2019042115.tif 000009
【図８】
2019042115.tif 000010
【図９】
2019042115.tif 000011
【図１０】
2019042115.tif 000012
【図１１】
2019042115.tif 000013
【図１２】
2019042115.tif 000014